【手続補正書】
【提出日】平成26年10月22日(2014.10.22)
【手続補正１】
【補正対象書類名】特許請求の範囲
【補正対象項目名】全文
【補正方法】変更
【補正の内容】
【特許請求の範囲】
【請求項１】
レーザ光源を含んで構成され、前記レーザ光源から出射されたレーザ光が所定の周波数で間欠的に出射される光源部と、
前記光源部から間欠的に出射されたレーザ光が通過する光学素子と、
前記光学素子を所定の駆動周波数で駆動することにより、前記レーザ光における可干渉性を変化させる駆動部と
を備え、
前記周波数をｆ１［Ｈｚ］、前記光学素子から出射される照明光において前記光学素子に対する駆動により生ずる輝度の変動周波数をｆ２［Ｈｚ］、ｎ１を０以上かつ１０以下の任意の整数、ｎ２，ｎ３をそれぞれ０以上かつ１０以下の所定の整数としたとき、
以下の（１）式または（２）式を満たし、かつ、以下の（３）式または（４）式を満たし、かつ、以下の（５）式または（６）式を満たす
照明装置。
｜２×ｆ２−ｎ１×ｆ１｜≧２０  ……（１）
｜２×ｆ２−ｎ２×ｆ１｜≦３    ……（２）
ｆ２≧２０  ……（３）
ｆ２≦３    ……（４）
｜ｆ２−ｎ１×ｆ１｜≧２０  ……（５）
｜ｆ２−ｎ３×ｆ１｜≦３    ……（６）
【請求項２】
前記（１）式、前記（３）式または前記（５）式を満たす場合において、
前記光学素子に対する駆動が停止しているときにおける前記照明光の輝度分布の空間周波数を、低周波側から順にｆ３１，…，ｆ３Ｍ（Ｍ：２以上の整数）とし、かつ、
前記光学素子を駆動しているときにおける前記照明光の輝度分布の空間振幅をＡ０としたとき、
以下の（７）式を更に満たす
請求項１に記載の照明装置。
（１／ｆ３２）≦Ａ０  ……（７）
【請求項３】
前記光源部は、複数種類の波長のレーザ光を出射するものであり、
前記複数種類の波長のうち、少なくとも、視感度が最も高い色に対応する波長のレーザ光における前記周波数について、
前記（１）式または前記（２）式を満たし、かつ、前記（３）式または前記（４）式を満たし、かつ、前記（５）式または前記（６）式を満たす
請求項１または請求項２に記載の照明装置。
【請求項４】
前記複数種類の波長のうち、少なくとも、視感度が相対的に高い２色以上の各色に対応する波長のレーザ光における前記周波数について、
前記（１）式または前記（２）式を満たし、かつ、前記（３）式または前記（４）式を満たし、かつ、前記（５）式または前記（６）式を満たす
請求項３に記載の照明装置。
【請求項５】
前記複数種類の波長の全てのレーザ光における前記周波数について、
前記（１）式または前記（２）式を満たし、かつ、前記（３）式または前記（４）式を満たし、かつ、前記（５）式または前記（６）式を満たす
請求項４に記載の照明装置。
【請求項６】
前記（１）式または前記（２）式を満たし、かつ、前記（３）式または前記（４）式を満たし、かつ、前記（５）式または前記（６）式を満たすように、前記駆動周波数および前記周波数をそれぞれ動的に制御する制御部を備えた
請求項１ないし請求項５のいずれか１項に記載の照明装置。
【請求項７】
前記（３）式を満たす
請求項１ないし請求項６のいずれか１項に記載の照明装置。
【請求項８】
以下の（８）式または（９）式を満たし、かつ、以下の（１０）式または（１１）式を満たし、かつ、以下の（１２）式または（１３）式を満たす
請求項１ないし請求項７のいずれか１項に記載の照明装置。
｜２×ｆ２−ｎ１×ｆ１｜≧５０    ……（８）
｜２×ｆ２−ｎ２×ｆ１｜≦０．５  ……（９）
ｆ２≧５０    ……（１０）
ｆ２≦０．５  ……（１１）
｜ｆ２−ｎ１×ｆ１｜≧５０    ……（１２）
｜ｆ２−ｎ３×ｆ１｜≦０．５  ……（１３）
【請求項９】
前記（１０）式を満たす
請求項８に記載の照明装置。
【請求項１０】
前記レーザ光源は、前記周波数としての所定の発光周波数により、間欠的に前記レーザ光を出射する
請求項１ないし請求項９のいずれか１項に記載の照明装置。
【請求項１１】
前記駆動部は、前記光学素子を駆動することにより、前記レーザ光の位置、角度、偏光および位相のうちの少なくとも１つを変化させる
請求項１ないし請求項１０のいずれか１項に記載の照明装置。
【請求項１２】
前記駆動部は、前記駆動周波数としての所定の振動周波数によって、前記光学素子を機械的に振動させることにより、前記レーザ光の位置および角度のうちの少なくとも一方を変化させる
請求項１１に記載の照明装置。
【請求項１３】
前記光学素子は、自身の振動方向に沿って配列された複数の単位構造を有し、
前記振動周波数をｆ０、（前記光学素子が振動する際の振幅／前記振動方向に沿った前記単位構造のピッチ）＝Ｎとしたとき、
ｆ２＝（２×Ｎ×ｆ０）を満たす
請求項１２に記載の照明装置。
【請求項１４】
前記駆動部は、前記駆動周波数によって前記光学素子を電気的に振動させることにより、前記レーザ光の偏光および位相のうちの少なくとも一方を変化させる
請求項１１に記載の照明装置。
【請求項１５】
前記光学素子が液晶素子である
請求項１４に記載の照明装置。
【請求項１６】
前記光源部は、赤色光、緑色光または青色光を発する３種類の光源を有する
請求項１ないし請求項１５のいずれか１項に記載の照明装置。
【請求項１７】
前記３種類の光源のうちの少なくとも１つが、前記レーザ光源である
請求項１６に記載の照明装置。
【請求項１８】
照明光を出射する照明装置と、
前記照明光を映像信号に基づいて変調する光変調素子と
を備え、
前記照明装置は、
レーザ光源を含んで構成され、前記レーザ光源から出射されたレーザ光が所定の周波数で間欠的に出射される光源部と、
前記光源部から間欠的に出射されたレーザ光が通過する光学素子と、
前記光学素子を所定の駆動周波数で駆動することにより、前記レーザ光における可干渉性を変化させる駆動部と
を有し、
前記周波数をｆ１［Ｈｚ］、前記光学素子から出射される照明光において前記光学素子に対する駆動により生ずる輝度の変動周波数をｆ２［Ｈｚ］、ｎ１を０以上かつ１０以下の任意の整数、ｎ２，ｎ３をそれぞれ０以上かつ１０以下の所定の整数としたとき、
以下の（１）式または（２）式を満たし、かつ、以下の（３）式または（４）式を満たし、かつ、以下の（５）式または（６）式を満たす
表示装置。
｜２×ｆ２−ｎ１×ｆ１｜≧２０  ……（１）
｜２×ｆ２−ｎ２×ｆ１｜≦３    ……（２）
ｆ２≧２０  ……（３）
ｆ２≦３    ……（４）
｜ｆ２−ｎ１×ｆ１｜≧２０  ……（５）
｜ｆ２−ｎ３×ｆ１｜≦３    ……（６）
【請求項１９】
前記光変調素子により変調された照明光を被投射面に対して投射する投射光学系を更に備えた
請求項１８に記載の表示装置。
【請求項２０】
前記光学素子が、前記投射光学系における瞳近傍または瞳の共役点近傍に配置されている
請求項１９に記載の表示装置。
【手続補正２】
【補正対象書類名】明細書
【補正対象項目名】００６１
【補正方法】変更
【補正の内容】
【００６１】
すると、例えば図１２（Ａ），（Ｂ）に示したように、上記したビート現象が発生し得る周波数（ビート周波数）は、これらの各構成周波数同士の和（和周波数）および差（差周波数）によって規定されることになる。ここで、Ｘ’は０以上の任意の整数であり、基本的にはＸと同等であるが、和や差の結果で０が含まれる可能性と、和や差の結果、偶数や奇数の項をもつ点とを考慮して再設定したものである。なお、図１２（Ａ），（Ｂ）中において、黒色（濃い色のハッチング）で示した部分（周波数２Ｘｆ１，±２Ｘ’ｆ１，±２（Ｘ−１）×ｆ１）は、振動周波数ｆ０の成分が存在しないため、後述する振動周波数ｆ０の決定には関与しないことを意味している。したがって、図１２（Ａ），（Ｂ）中に示したビート周波数のうち、振動周波数ｆ０の成分が存在するもの（振動周波数ｆ０の決定に関与するもの）は、以下の３種類となる。なお、ここでは、図１２（Ａ），（Ｂ）中における「２（Ｘ−１），−２（Ｘ−１），±２（Ｘ−１），±２Ｘ'」を、任意の整数Ｘ”としてひとまとめに表している。
・ｆ０                  …  第一構成周波数１
・（２ｆ０＋Ｘ”ｆ１）  …  白色で示した部分（「ビート周波数Ｂ」）
・（ｆ０＋Ｘ”ｆ１）    …  灰色（薄い色のハッチング）で示した部分
（「ビート周波数Ｃ」）